(57)【特許請求の範囲】
【請求項１】
床面上に立設された脚体と、
該脚体に支持される梁材と、
該梁材上に載置される天板と、を有するテーブルにおいて、
前記天板の下面に設けられた係止部と、
前記梁材の上面に設けられ、前記係止部が係止可能に構成された被係止部と、を有するとともに、
前記天板の上面に当接される押え片と、該押え片に連接されて前記梁材の一方の側面に接合される接合片と、が一体成形された浮上り防止材が設けられていることを特徴とするテーブル。
【請求項２】
前記係止部が、係止爪として構成されるとともに、
前記被係止部が、前記係止爪を係止可能な係止凹部として構成されていることを特徴とする請求項１に記載のテーブル。
【請求項３】
前記梁材の上面における前記浮上り防止材が設けられた前記一方の側面の反対側にあたる他方の側面の近傍において、前記天板と前記梁材とが接合されていることを特徴とする請求項１または２に記載のテーブル。
【請求項４】
前記梁材における前記他方の側面が、上端から下端へ向けて前記一方の側面側に後退するように傾斜面が形成されていることを特徴とする請求項３に記載のテーブル。
【請求項５】
前記天板が透光性材料で形成されていることを特徴とする請求項１〜４のいずれかに記載のテーブル。
【請求項６】
前記天板の下面と前記梁材の上面との間に、柱状のスペーサが配置されていることを特徴とする請求項１〜５のいずれかに記載のテーブル。
【請求項７】
前記梁材の一方の側面を対向するように配置され、
一対の前記天板と、該一対の天板の中央部に配置された一対の前記梁材と、を備えて構成されていることを特徴とする請求項１〜６のいずれかに記載のテーブル。
【発明の詳細な説明】
【技術分野】
【０００１】
本発明は、オフィスなどにおける執務空間や応接室にて使用されるテーブルに関するものである。
【背景技術】
【０００２】
オフィスなどにおける執務空間や応接室においては、使用者に圧迫感を与えないとともに、体裁を良く収めるため、下肢空間を広く確保したテーブルが設置されていることが望ましい。
このようなテーブルとしては、左右（長さ方向）に離間して配置した一対の脚体同士の上部間に梁材を架設しておき、この脚体および梁材の上面に天板を載置することによりテーブルとして構成したものが一般的に知られている。また、長さ方向寸法が大きな天板を支持したい場合には、一対の梁材を脚体の両端それぞれにおいて連結することにより、上部にロ字状の枠体を構成して天板の支持強度を高めたものが知られている（例えば、特許文献１参照）。  
【特許文献１】特開２０００−２７９２４７号公報
【発明の開示】
【発明が解決しようとする課題】
【０００３】
ところで、特許文献１のテーブルは、天板の支持強度を確保するために、梁材を平面視において天板の周縁部近傍に配置する必要があり、梁材が使用者の下肢と干渉してしまう虞があった。
【０００４】
そこで、本発明は、上述の事情に鑑みてなされたものであり、天板の支持強度を確保しつつ、使用者の下肢空間を広く確保することができるテーブルを提供するものである。
【課題を解決するための手段】
【０００５】
上記の課題を解決するために、請求項１に記載した発明は、床面上に立設された脚体と、該脚体に支持される梁材と、該梁材上に載置される天板と、を有するテーブルにおいて、前記天板の下面に設けられた係止部と、前記梁材の上面に設けられ、前記係止部が係止可能に構成された被係止部と、を有するとともに、前記天板の上面に当接される押え片と、該押え片に連接されて前記梁材の一方の側面に接合される接合片と、が一体成形された浮上り防止材が設けられていることを特徴としている。
【０００６】
請求項２に記載した発明は、前記係止部が、係止爪として構成されるとともに、前記被係止部が、前記係止爪を係止可能な係止凹部として構成されていることを特徴としている。
【０００７】
請求項３に記載した発明は、前記梁材の上面における前記浮上り防止材が設けられた前記一方の側面の反対側にあたる他方の側面の近傍において、前記天板と前記梁材とが接合されていることを特徴としている。
【０００８】
請求項４に記載した発明は、前記梁材における前記他方の側面が、上端から下端へ向けて前記一方の側面側に後退するように傾斜面が形成されていることを特徴としている。
【０００９】
請求項５に記載した発明は、前記天板が透光性材料で形成されていることを特徴としている。
【００１０】
請求項６に記載した発明は、前記天板の下面と前記梁材の上面との間に、柱状のスペーサが配置されていることを特徴としている。
【００１１】
請求項７に記載した発明は、前記梁材の一方の側面を対向するように配置され、一対の前記天板と、該一対の天板の中央部に配置された一対の前記梁材と、を備えて構成されていることを特徴としている。
【発明の効果】
【００１２】
請求項１に記載した発明によれば、天板と梁材との間を係止部により接合するとともに、天板が梁材から浮き上がるのを浮上り防止材にて防止することができる。したがって、天板の支持強度を確保することができる効果がある。
また、浮上り防止材を設けることにより、天板を梁材で片持ち状に支持することができる。したがって、梁材を使用者の下肢空間から後退させた位置に配置することができるため、天板の支持強度を確保しつつ、使用者の下肢空間を広く確保することができる効果がある。
【００１３】
請求項２に記載した発明によれば、天板と梁材との間に設けられた係止部および被係止部を係止爪および係止凹部で構成したため、簡易な構造で確実に天板と梁材とを接合させることができる。したがって、作業効率を向上することができる効果がある。
【００１４】
請求項３に記載した発明によれば、梁材の両側面近傍において、梁材と天板とが接合されるため、梁材に対して天板の位置ずれを確実に防止することができる。したがって、安定した構造を有するテーブルを提供することができる効果がある。
【００１５】
請求項４に記載した発明によれば、梁材に傾斜面を形成することにより、下肢空間をより広く確保することができる効果がある。また、天板が透光性材料で形成されている場合には、使用者に梁材を小さく見せることができ、体裁良く収めることができるとともに、より開放感を与えることができる効果がある。
【００１６】
請求項５に記載した発明によれば、天板下方に形成される広い下肢空間を使用者に視覚的に訴えることができ、開放感を与えることができる効果がある。
【００１７】
請求項６に記載した発明によれば、天板が透光性材料で形成されている場合には、梁材がスペーサを介して見えるようになり、梁材をより小さく見せることができる。したがって、体裁良く収めることができるとともに、より開放感を与えることができる効果がある。また、天板が例えばガラス製の場合には、天板にスペーサを接着などにより接合し、スペーサの梁材との当接面にネジ穴を形成することで、梁材とスペーサとを螺着させることができる。したがって、ガラス製の天板を用いた場合にも、天板に加工を施すことなく天板と梁材とを接合することができる。つまり、天板の支持強度を確保しつつ、天板の材質のバリエーションを増やすことができる効果がある。
【００１８】
請求項７に記載した発明によれば、一対の天板を使用した対面使いのテーブルとして構成することができる。したがって、このような構成のテーブルにおいても体裁を良好に収めることができ、より視覚的効果を強調することができる効果がある。
【発明を実施するための最良の形態】
【００１９】
次に、本発明に係るテーブルの実施形態を図１〜図８に基づいて説明する。
図１、図２に示すように、テーブル１は、略板状の天板１０と、天板１０を支持固定する一対の梁材２０と、床面Ｆ上に立設されて梁材２０を支持固定する脚体３０とを備え、全体として一方向に細長く形成されている。なお、天板１０は透光性のガラス板で形成されている。
【００２０】
脚体３０は、梁材２０の長さ方向Ｘの両側に二つ配設されていて、長さ方向Ｘと平面視において直交する幅方向Ｙに幅広に形成され、幅方向Ｙに並べられた一対の梁材２０を支持している。脚体３０は、略箱状の本体部３１と、床面Ｆ上に載置されて本体部３１を支持する支持板３２とを有している。そして、本体部３１と支持板３２との間には、複数のアジャスター３３（図３参照）が設けられていて、これにより床面Ｆの傾斜に対して本体部３１の高さおよび水平度を調整することが可能となっている。なお、本体部３１の幅方向Ｙの両側に位置する側板３１ａは、着脱自在に取り付けられている。
【００２１】
図３に示すように、本体部３１の上部には、一対の梁材２０のそれぞれと対応して、幅方向Ｙの外側から内側に向かって順に、略水平な一対の第一の載置面３４Ａ，３４Ｂと、第一の載置面３４Ａ，３４Ｂのそれぞれから下がるように傾斜した一対の第二の載置面３５Ａ，３５Ｂと、第二の載置面３５Ａ，３５Ｂのそれぞれの傾斜下端から続いた略水平な一対の第三の載置面３６Ａ，３６Ｂとが形成されている。一対の梁材２０のそれぞれと対応する第三の載置面３６Ａ，３６Ｂは連続した平面部３１ｂを形成していて、本体部３１の上部は、全体として凹状に形成されている。また、第二の載置面３５Ａ，３５Ｂよりも傾斜下端側となる第三の載置面３６Ａ，３６Ｂ上には、それぞれと対応する梁材２０を幅方向Ｙに係止する係止片３７が突出形成されている。また、本体部３１には、幅方向Ｙの中央に上下方向Ｚに延び、一対の第三の載置面３６Ａ，３６Ｂの間に開口する連絡溝３１ｃが形成されており、天板１０上に配置される電気機器などの配線を床面Ｆまで配設可能になっている。
【００２２】
一対の梁材２０は、それぞれ幅方向Ｙの外側となる縁端２０ａが脚体３０の側板３１ａと略面一になるように、また、図１、図２に示すように、長さ方向Ｘの端部２０ｂが脚体３０よりも外側に張り出すようにして延設され、脚体３０に支持されている。また、梁材２０の長さ方向Ｘの端部２０ｂは、上面２１から長さ方向Ｘの内側に向かうようにして傾斜して形成されており、エンドカバー２０ｃによって覆われている。
【００２３】
図４に示すように、梁材２０は、それぞれ上下方向Ｚに沿って形成された側面２０ｅと、天板１０が載置される側の上面２１と、幅方向Ｙの外側から内側に向かって傾斜した下面となる傾斜面２２が長さ方向Ｘに連続して形成されていて、断面略三角形状に形成されている。そして、梁材２０は、重量を抑えつつ剛性を高めるために内部が空洞となっており、内部中央には剛性をさらに高めるために補強板２０ｄが上下方向Ｚに沿って設けられている。
【００２４】
図３に戻り、一対の梁材２０は、それぞれ幅方向Ｙの外側から内側に向かって順に、脚体３０の第一の載置面３４Ａ，３４Ｂと対応する略水平な第一の底面２３と、第二の載置面３５Ａ，３５Ｂと対応して第一の底面２３から続いて傾斜して形成された第二の底面２４と、第三の載置面３６Ａ，３６Ｂと対応して第二の底面２４から続く略水平な第三の底面２５とを有する。ここで、第二の底面２４は、傾斜面２２の一部として構成されている。そして、一対の梁材２０は、第一の底面２３が第一の載置面３４Ａ，３４Ｂに、第二の底面２４が第二の載置面３５Ａ，３５Ｂに、第三の底面２５が第三の載置面３６Ａ，３６Ｂにそれぞれ当接することで、脚体３０に支持されている。
【００２５】
さらに、一対の梁材２０は、それぞれ下部において、幅方向Ｙの内側に突出する被係止端２６が形成されており、脚体３０の係止片３７に当接して幅方向Ｙに係止されている。また、第一の底面２３には、ネジ穴２８Ａが形成されている。一方、脚体３０の上部において、第一の載置面３４Ａ，３４Ｂには、各ネジ穴２８Ａと対応して本体部３１の内部まで挿通する挿通孔３８Ａが形成されている。そして、本体部３１の内部から挿通孔３８Ａに挿通されてネジ穴２８Ａに螺合される梁固定ボルト４０により、各梁材２０は、第一の載置面３４Ａ，３４Ｂで脚体３０に固着されている。さらに、第二の底面２４には、ネジ孔２８Ｂが形成されている。一方、脚体３０の上部において、第二の載置面３５Ａ，３５Ｂには、各ネジ孔２８Ｂと対応して本体部３１の内部まで連通する挿通孔３８Ｂが形成されている。そして、本体部３１の内部から挿通孔３８Ｂに挿通されてネジ孔２８Ｂに螺合される梁固定ボルト４０により、各梁材２０は、第二の載置面３５Ａ，３５Ｂで脚体３０に固着されている。
【００２６】
また、天板１０は、長さ方向Ｘに二分割、幅方向Ｙに二分割、全体として四分割された板部材１１により構成されている（図１参照）。そして、天板１０を構成する各板部材１１の下面には、円柱状のスペーサ５０が適宜接着などにより配置され（本実施形態では８個）、スペーサ５０を介して板部材１１が梁材２０上に支持された状態となっている。ここで、スペーサ５０は、長さ方向Ｘに沿って略等間隔に４個並べられたものが２列配置されている。
【００２７】
図５に示すように、スペーサ５０の下面５０ａには、ネジ穴５１が形成されている。ネジ穴５１は、３個直線状に形成され、中央のネジ穴５１ａがスペーサ５０の中心軸に一致するように形成されている。一方、梁材２０には、長さ方向Ｘの複数箇所（本実施形態では４個）で、幅方向Ｙの外側のスペーサ５０のネジ穴５１ａに対応した位置に、上下方向Ｚに連通する挿通孔２９が形成されている（図４参照）。そして、下側から挿通孔２９に挿通された天板固定ボルト４１がスペーサ５０のネジ穴５１ａに螺合されることで、天板１０を構成する各板部材１１は梁材２０に固着されている。
【００２８】
また、幅方向Ｙの内側のスペーサ５０の下部には係止片５２が設けられている。図６に示すように、係止片５２は、例えば金属製のプレートを加工して形成されている。係止片５２におけるスペーサ５０との接合部５２ａには、２個の挿通孔５３が形成されており、それぞれの挿通孔５３に挿通されたネジ（不図示）がスペーサ５０のネジ穴５１ｂ，５１ｃに螺合されることで、スペーサ５０と係止片５２とが固着されるようになっている（図７参照）。また、係止片５２は、接合部５２ａに連接して斜め下方に傾斜した傾斜部５２ｂが形成され、傾斜部５２ｂに連接して略水平に係止爪５２ｃが形成されている。なお、傾斜部５２ｂおよび係止爪５２ｃは、平面視において接合部５２ａ（スペーサ５０）よりも幅広に形成され、係止片５２が梁材２０に対してより強固に係止できるようになっている。
【００２９】
そして、図４に戻り、梁材２０の上面２１には、係止片５２の係止爪５２ｃと対応するように、長さ方向Ｘに延びる係止凹部２１ａが形成されている。係止凹部２１ａには、幅方向Ｙの内側側縁から外側に向かって突出した係止縁部２１ｂが形成されている。そして、天板１０を構成する各板部材１１が梁材２０に支持された状態では、係止片５２は、係止爪５２ｃが係止凹部２１ａに挿入されることで各係止縁部２１ｂに係合されており、これにより天板固定ボルト４１による固定と併せて各板部材１１を梁材２０により強固に支持固定できる構成となっている。なお、係止片５２の接合部５２ａの底面は、梁材２０の上面２１と当接されている。
【００３０】
さらに、図７に示すように、天板１０と梁材２０との間に、天板１０の板部材１１の上面１１ａに当接される押え片６１と、押え片６１に連接されて梁材２０の側面２０ｅに接合可能に構成された接合片６２と、が一体成形された浮上り防止材６０が設けられている。浮上り防止材６０は、長さ方向Ｘに沿って所定間隔ごとに複数取付けられている。
【００３１】
図８に示すように、浮上り防止材６０は、例えば金属製のプレートを加工して形成されている。浮上り防止材６０は、板部材１１の上面１１ａに当接する略水平状に形成された押え片６１と、押え片６１に連接されて上下方向Ｚに沿うように形成された接合片６２とを備え、略Ｌ字状に形成されている。また、押え片６１の下面６１ａには、緩衝材６４が接着などにより取付けられている。緩衝材６４により、板部材１１の上面１１ａに押え片６１が当接することによる傷の発生を防止することができる。また、接合片６２は、板部材１１の側面１１ｃおよび梁材２０の側面２０ｅに当接されるように構成されており、本実施形態では、板部材１１の側面１１ｃとの接合部６２ａと、梁材２０の側面２０ｅとの接合部６２ｂとが、クランクして形成されている。さらに、接合部６２ｂには、梁材２０と螺着するために固定ボルト６５を挿通させるための挿通孔６６が形成されている。挿通孔６６は、水平方向に所定間隔を空けて２箇所形成されている。
【００３２】
図７に戻り、梁材２０の側面２０ｅには、固定ボルト６５を挿通可能な開口部７１が長さ方向Ｘに沿って連続的に形成されている。また、開口部７１に連続して空洞部７２が形成されている。空洞部７２は、開口部７１よりも上下方向Ｚに幅広になるように形成されている。空洞部７２には、固定ボルト６５と螺合されるナット６７が配置できるようになっている。さらに、梁材２０の側面２０ｅの下端部２０ｆには、上向きの凹部７３が長さ方向Ｘに沿って連続的に形成されている。凹部７３には浮上り防止材６０の下端部６０ａが当接して、浮上り防止材６０が支持されるようになっている。
【００３３】
また、板部材１１には、幅方向Ｙの内側となる位置にそれぞれ切欠き１１ｂが形成されている。そして、各板部材１１を梁材２０上に固定して組み合わせた状態において、天板１０には、切欠き１１ｂによって幅方向Ｙの中央に上下に連通して長さ方向Ｘに延びる配線連通孔１０ａが形成されている。配線連通孔１０ａは、通常時においては、天板蓋１３により閉塞されている。一対の梁材２０の互いに対向する面には、蓋取付用溝２０ｈ（図３参照）が長さ方向Ｘに延びるように形成されている。そして、この蓋取付用溝２０ｈには、上方へ延びる支持部材１５が係止されており、天板蓋１３は、支持部材１５によって支持されて、配線連通孔１０ａを閉塞している。天板蓋１３は、支持部材１５に対して着脱可能であり、取り外すことで、天板１０上で使用する電気機器の配線を、配線連通孔１０ａを介して一対の梁材２０間を通線空間４３として配設することが可能となっている。
【００３４】
通線空間４３の底部は、一対の梁材２０間に係合された底板４３ａで閉塞されており、この底板４３ａ上に配線を配置することが可能である。通線空間４３に配設された電気機器の配線は、さらに梁材２０と脚体３０とが固定された位置で、連絡溝３１ｃを介して床面Ｆの電源などと接続可能となっている。なお、幅方向Ｙに沿って対向配置された天板蓋１３同士の隙間には、その隙間を閉塞する目隠蓋１４が設けられている。目隠蓋１４は、断面略コ字状で、長さ方向Ｘに沿って細長い板状部材になっており、支持部材１５に係止するようにして取り付けられている。
【００３５】
（テーブルの組立方法）
次に、テーブル１の組立方法について概略を説明する。
まず、テーブル１を設置する床面Ｆ上において、脚体３０を所定位置に配置する。このとき、アジャスター３３で二つの脚体３０の高さおよび水平度を調整しておく。脚体３０を配置した状態で、梁材２０を脚体３０間に架設するとともに、梁固定ボルト４０を用いて、梁材２０と脚体３０とを固着する。このとき、梁材２０の第一の底面２３と脚体３０の第一の載置面３４Ａ，３４Ｂとが当接し、同様に、第二の底面２４と第二の載置面３５Ａ，３５Ｂとが当接し、第三の底面２５と第三の載置面３６Ａ，３６Ｂとが当接して配置されている。また、梁材２０の被係止端２６が脚体３０の係止片３７に幅方向Ｙに係止され、確実に位置決めされた状態で支持される。なお、梁固定ボルト４０を取り付ける際には、脚体３０の本体部３１の側板３１ａを取り外して行う。
【００３６】
次に、天板１０の板部材１１を梁材２０上に載置する。このとき、板部材１１の下面に予め配されているスペーサ５０のうち、係止片５２が接合されているスペーサ５０を幅方向Ｙの内側に位置するようにし、係止片５２の係止爪５２ｃを梁材２０の係止凹部２１ａにスライドするように挿入し、係止片５２が係止縁部２１ｂで係止されるように配置するとともに、幅方向Ｙの外側に配されたスペーサ５０において、天板固定ボルト４１を用いて、スペーサ５０（天板１０）と梁材２０とを固着する。
【００３７】
板部材１１、梁材２０および脚体３０が配置された状態で、浮上り防止材６０を取付ける。このとき、浮上り防止材６０の押え片６１を板部材１１の上面１１ａに当接するように配置するとともに、浮上り防止材６０の下端部６３ａを梁材２０の凹部７３内に挿入するようにして配置する。そして、梁材２０の側面２０ｅの空洞部７２内にナット６７を挿入し、浮上り防止材６０の挿通孔６６および梁材２０の開口部７１を挿通させた固定ボルト６５とナット６７とを螺合して、浮上り防止材６０を梁材２０に固着する。
【００３８】
そして、支持部材１５を梁材２０の側面２０ｅの所定位置に配置するとともに、支持部材１５上に天板蓋１３を取付ける。また、幅方向Ｙに対向配置された梁材２０同士の底部間に底板４３ａを取り付けるとともに、幅方向Ｙに対向する天板蓋１３同士の間に、目隠蓋１４を取付けて、テーブル１の組立が完了する。
【００３９】
本実施形態のテーブル１によれば、天板１０は、脚体３０に支持された一対の梁材２０の上面２１にスペーサ５０を介して支持固定されることで、脚体３０の間隔が大きくなったとしても、天板１０を、厚さを最小限としつつ梁材２０により撓まないように確実に支持することができる。また、梁材２０は傾斜面２２が幅方向Ｙの外側で長さ方向Ｘに連続して形成されているため、天板１０を支持する梁材２０の上面２１の幅方向Ｙの寸法を大きく確保しつつ、使用者の下肢空間を大きく確保することができる。つまり、長さ方向Ｘに沿って使用者が着席し、使用者の足が天板１０の下方に配置されたとしても、梁材２０が支障となってしまうことがない。さらに、梁材２０は、縁端２０ａを脚体３０の側部と略面一になるように配設されている。このため、天板１０を幅方向Ｙのより広い範囲で確実に支持することができ、天板１０の幅方向Ｙの撓みをより有効に防止することができる。
【００４０】
また、天板１０の下面にスペーサ５０を所定位置に配置し、幅方向Ｙの内側に配されたスペーサ５０の下方には係止片５２を接合し、係止片５２の係止爪５２ｃを梁材２０の係止凹部２１ａに挿入して、係止片５２が係止縁部２１ｂで係止するとともに、幅方向Ｙの外側に配されたスペーサ５０において、天板固定ボルト４１を用いて、スペーサ５０と梁材２０とを固着した。したがって、天板１０を梁材２０で確実に支持固定することができ、天板１０を梁材２０から張り出すように、片持ち状に配置することができる。
【００４１】
さらに、天板１０の板部材１１の上面１１ａに当接するとともに、梁材２０の側面２０ｅと接合する浮上り防止材６０を取り付けたため、天板１０における幅方向Ｙの外側近傍で、下方向に荷重がかかっても、浮上り防止材６０により天板１０の浮上りをより確実に防止することができる。したがって、より安定した構造で、天板１０を梁材２０から張り出すように、片持ち状に配置することができる。つまり、天板１０の支持強度を確実に確保することができるとともに、使用者の下肢空間を広く確保することができる。
【００４２】
また、天板１０の下面に設けられた係止片５２と梁材２０に形成された係止凹部２１ａとで天板１０と梁材２０とを係止できるようにしたため、簡易な構造で確実に天板１０と梁材２０とを接合させることができる。したがって、作業効率を向上させることができる。
【００４３】
また、天板１０を透光性のガラス板で形成したため、天板１０の下方に形成される広い下肢空間を使用者に視覚的に訴えることができ、開放感を与えることができる。
【００４４】
また、梁材２０に傾斜面２２を形成したため、使用者に梁材２０を小さく見せることができ、体裁良く収めることができるとともに、より開放感を与えることができる。
【００４５】
さらに、天板１０を透光性のガラス板で形成したが、梁材２０がスペーサ５０を介して奥側に見えるようになるため、梁材２０を小さく見せることができる。したがって、体裁良く収めることができるとともに、より開放感を与えることができる。また、天板１０をガラス板で形成したが、天板１０にスペーサ５０を接着などにより接合し、スペーサ５０の梁材２０との当接面（下面５０ａ）にネジ穴５１ａを形成したため、梁材２０とスペーサ５０とを螺着させることができる。したがって、ガラス製の天板１０の場合にも天板１０の支持強度を確実に確保することができる。
【００４６】
尚、本発明の技術範囲は、上述した実施形態に限定されるものではなく、本発明の趣旨を逸脱しない範囲において、上述した実施形態に種々の変更を加えたものを含む。すなわち、実施形態で挙げた具体的な形状や構成等は一例にすぎず、適宜変更が可能である。
例えば、本実施形態において、板部材を４枚用いてテーブルを構成する場合の説明をしたが、板部材の枚数を増やしてテーブルを構成してもよい。
また、本実施形態において、対面式のテーブルの場合で説明をしたが、それ以外の方式のテーブルにも採用することができる。
また、本実施形態において、ガラス製の天板を採用した場合で説明をしたが、木製やその他の材質の場合にも採用することができる。
【図面の簡単な説明】
【００４７】
【図１】本発明の実施形態におけるテーブルの斜視図である。
【図２】本発明の実施形態におけるテーブルの側面図である。
【図３】図２のＡ−Ａ線に沿う断面図である。
【図４】図２のＢ−Ｂ線に沿う断面図である。
【図５】本発明の実施形態におけるスペーサの図面であり、（ａ）側面図、（ｂ）底面図である。
【図６】本発明の実施形態における係止片の図面であり、（ａ）上面図、（ｂ）（ａ）のＤ−Ｄ線に沿う断面図である。
【図７】図２のＣ−Ｃ線に沿う断面図である。
【図８】本発明の実施形態における浮上り防止材の図面であり、（ａ）正面図、（ｂ）側面図である。
【符号の説明】
【００４８】
１…テーブル  １０…天板  ２０…梁材  ２０ｅ…側面（一方の側面）  ２１…上面（梁材の上面）  ２１ａ…係止凹部  ２２…傾斜面  ３０…脚体  ５０…スペーサ  ５２ｃ…係止爪  ６０…浮上り防止材  ６１…押え片  ６２…接合片  Ｆ…床面
【図１】
0005371249.tif 000002
【図２】
0005371249.tif 000003
【図３】
0005371249.tif 000004
【図４】
0005371249.tif 000005
【図５】
0005371249.tif 000006
【図６】
0005371249.tif 000007
【図７】
0005371249.tif 000008
【図８】
0005371249.tif 000009